(57)【要約】  本発明はランプ容器（１０）内部に配置される２つのフィラメント（２１，２２）を備えた自動車ヘッドライト用のハロゲン白熱ランプに関する。前記第１のフィラメント（２１）は前記第２のフィラメント（２２）より高い電力で作動するように設計されており、前記フィラメント（２１，２２）はその寸法および／または幾何学形態がそれぞれ少なくとも２０Ｖの作動電圧に合わせて調整されており、少なくとも前記第２のフィラメント（２２）が単一コイルとして形成された白熱フィラメントであるように構成されている。有利には前記フィラメントの両方（２１，２２）は単一に巻かれた白熱フィラメントとして構成され、例えば前記第１の白熱フィラメント（２１）はハイビームまたはロービームの形成のために用いられ、前記第２の白熱フィラメント（２２）はデイドライビングビームまたはフォグランプの形成のために用いられる。
2010517232.tif 000002
【特許請求の範囲】
【請求項１】
ランプ容器（１０）内部に配置される２つのフィラメント（２１，２２）を備えた自動車ヘッドライト用のハロゲン白熱ランプであって、前記第１のフィラメント（２１）は前記第２のフィラメント（２２）より高い電力で作動するように設計されている形式のハロゲン白熱ランプにおいて、
前記フィラメント（２１，２２）は、該フィラメント（２１，２２）の寸法および／または幾何学形態がそれぞれ少なくとも２０Ｖの作動電圧に合わせて調整されており、少なくとも前記第２のフィラメント（２２）は単一コイルとして形成された白熱フィラメントであることを特徴とするハロゲン白熱ランプ。
【請求項２】
単一コイルとして形成されている前記第２のフィラメント（２２）の寸法および／または幾何学形態は、２８Ｖで１５〜５０Ｗの範囲の電力消費に合わせて調整されている、請求項１記載のハロゲン白熱ランプ。
【請求項３】
前記単一コイル（２２）の長さは３．５〜５．５ｍｍの範囲である、請求項１または２記載のハロゲン白熱ランプ。
【請求項４】
前記第２のフィラメント（２２）の単一コイルの外径は０．５〜１．４ｍｍの範囲である、請求項１から３のいずれか１項記載のハロゲン白熱ランプ。
【請求項５】
前記第２のフィラメント（２２）の単一コイルのコイルワイヤの直径は４０〜１１０μｍの範囲である、請求項１から４のいずれか１項記載のハロゲン白熱ランプ。
【請求項６】
前記第２のフィラメント（２２）の単一コイルは少なくとも３０巻回を有している、請求項１から５のいずれか１項記載のハロゲン白熱ランプ。
【請求項７】
前記第１のフィラメント（２１）は単一コイルとして形成されている白熱フィラメントである、請求項１から６のいずれか１項記載のハロゲン白熱ランプ。
【請求項８】
単一コイルとして形成されている前記第１のフィラメント（２１）の寸法および／または幾何学形態は、２８Ｖで５０〜１００Ｗの範囲の電力消費に合わせて調整されている、請求項７記載のハロゲン白熱ランプ。
【請求項９】
前記第１のフィラメント（２１）の単一コイルの長さは４．０〜６．５ｍｍの範囲である、請求項７または８のうちいずれか１項記載のハロゲン白熱ランプ。
【請求項１０】
前記第１のフィラメント（２１）の単一コイルの外径は１．２〜２．０ｍｍの範囲である、請求項７から９のいずれか１項記載のハロゲン白熱ランプ。
【請求項１１】
前記第１のフィラメント（２１）の単一コイルのコイルワイヤの直径は１００〜１４０μｍの範囲である、請求項７から１０のいずれか１項記載のハロゲン白熱ランプ。
【請求項１２】
前記第１のフィラメント（２１）の単一コイルは少なくとも２０巻回を有している、請求項７から１１のいずれか１項記載のハロゲン白熱ランプ。
【発明の詳細な説明】
【技術分野】
【０００１】
本発明は請求項１の上位概念によるハロゲン白熱ランプに関する。
【０００２】
Ｉ．従来技術
この種のハロゲン白熱ランプは例えばＥＰ１６６７２０５Ａ２明細書に開示されている。この公開公報にはランプ容器によって囲繞されている２つのフィラメントを備えたハロゲン白熱ランプが記載されており、これらのフィラメントは異なる電力に対して設計されている。第１のフィラメントは比較的高い電力に対して設計されており、自動車ヘッドライトにランプを使用する際にハイビームを形成するために用いられる。それに対して、第２のフィラメントは比較的低い電力に対して設計されており、デイドライビングビームを形成するために設けられている。
【０００３】
公開公報ＷＯ０２／０７１８８Ａ１明細書には、単一コイルとして形成されている少なくとも１つの白熱フィラメントを備えた自動車ヘッドライト用のハロゲン白熱ランプが記載されており、この白熱フィラメントの寸法および／または幾何学形態が少なくとも２０Ｖの作動電圧と５０〜１００Ｗの範囲の電力消費とに合わせて調整されている。この単一コイルの長さは４．０〜６．５ｍｍの範囲である。
【０００４】
ＩＩ．発明の開示
本発明の課題は２つのフィラメントを備えた上位概念によるハロゲン白熱ランプ、しかも定格２４Ｖの車載電源電圧で作動でき、かつ少なくとも低ワット数のフィラメント、すなわち比較的低い電力消費のフィラメントが均質な発光密度分布を形成するハロゲン白熱ランプを提供することである。
【０００５】
前記課題は、本発明によれば請求項１の特徴部分に記載されている構成によって解決される。本発明の殊に有利な実施形態は従属請求項に記載されている。
【図面の簡単な説明】
【０００６】
【図１】本発明によるハロゲン白熱ランプの有利な実施例の側面図
【０００７】
本発明によるハロゲン白熱ランプはランプ容器内に配置されている２つのフィラメントを有している。第１のフィラメントは第２のフィラメントより高い電力で作動するように設計されている。また、これらのフィラメントはその寸法および／または幾何学形態がそれぞれ少なくとも２０Ｖの作動電圧に合わせて調整されており、少なくとも第２のフィラメントが単一コイルとして形成された白熱フィラメントであるように構成されている。第２の低ワット数のフィラメントの単一コイルは、自動車ヘッドライトに本発明によるランプを使用する際に均質な発光密度分布を形成し、それに伴い定格２４Ｖの車載電源電圧を備えた車両において均質なデイドライビングビーム、車幅灯またはフォグランプを実現できる。
【０００８】
有利には低ワット数のフィラメントの単一コイルは、少なくとも３０巻回であり、かつ３．５〜５．５ｍｍの範囲の長さを有している。これは、相応に密なコイルの配置によってできる限り良好な発光密度分布の均質性を達成するためである。
【０００９】
好適には、第２の低ワット数のフィラメントの単一コイルのコイルワイヤ径は４０〜１１０μｍの範囲であり、このフィラメントの単一コイルの外径は有利には０．５〜１．４ｍｍの範囲である。なぜなら、低ワット数のフィラメントが少なくとも２０Ｖ、殊に約２０〜３２Ｖの範囲の作動電圧と、２８Ｖで１５〜５０Ｗ、殊に２８Ｖで約１７〜２２Ｗの範囲の電力消費とに合わせて調整されるためである。
【００１０】
第１の高ワット数のフィラメントも有利には単一コイルとして形成されている白熱フィラメントである。これは、定格２４Ｖの車載電源電圧を備えた車両の自動車ヘッドライトに本発明によるランプを使用する際にも付加的にハイビームないしロービームのために均質な発光密度分布が形成されるためである。
【００１１】
有利には第１の高ワット数のフィラメントの単一コイルは、少なくとも２０巻回であり、かつ４．０〜６．５ｍｍの範囲の長さを有している。これは、相応に密なコイルの配置によってできる限り良好な発光密度分布の均質性、かつ車両ヘッドライトのリフレクタと協働する際には配向された発光並びに十分に規定された円すい状の光束を達成するためである。
【００１２】
好適には第１の高ワット数のフィラメントの単一コイルのコイルワイヤ径は１００〜１４０μｍの範囲であり、このフィラメントの単一コイルの外径は有利には１．２〜２．０ｍｍの範囲である。なぜなら、高ワット数のフィラメントが少なくとも２０Ｖ、殊に約２０〜３２Ｖの範囲の作動電圧と、２８Ｖで５０〜１００Ｗ、殊に２８Ｖで約５５〜８０Ｗの範囲の電力消費とに合わせて調整されるためである。
【００１３】
次に、本発明を有利な実施例に基づき詳細に説明する。
【００１４】
図１には、車両ヘッドライト用の本発明によるハロゲン白熱ランプが示されている。このハロゲン白熱ランプは、実質的に円筒状のガラス製のランプ容器１０を有し、このランプ容器１０の内部空間にはランプ容器軸に平行に配向されている２つの白熱フィラメント２１，２２が配置されており、これらの白熱フィラメント２１，２２はハイビームおよびデイドライビングビームを形成するために用いられる。白熱フィラメント２１，２２は単一に巻かれたタングステンワイヤとして構成されている。白熱フィラメント２１または２２のフィラメント端部２１１，２１２または２２１，２２２にはそれぞれモリブデン箔が巻き付けられており、このモリブデン箔はフィラメント端部２１１，２１２または２２１，２２２を白熱フィラメント２１，２２への電流給電部に溶接する際の溶接支援手段として用いられる。ランプ容器１０のシールされている端部１１はランプソケット３０に固定されている。第１の白熱フィラメント２１は部分的にモリブデンシートから形成されている遮光キャップ４によって包囲されている。この遮光キャップ４は第１の電流給電線５１によって支持されており、この第１の電流給電線５１は第２の電流給電線５２および第３の電流給電線５３と共に白熱フィラメント２１，２２の両方へのエネルギ供給のために用いられる。この目的のために、第１の白熱フィラメント２１の第１のフィラメント端部２１１はプロジェクション溶接によって遮光キャップ４の溶接突起部４１に溶接されており、これによって遮光キャップ４を介して第１の電流給電線５１と導電接続されている。第１の白熱フィラメント２１の第２のフィラメント端部２１２は第３の電流給電線５３に溶接されている。第２の白熱フィラメント２２の第１のフィラメント端部２２１も同様に第３の電流給電線５３に溶接されている。第２の白熱フィラメント２２の第２のフィラメント端部２２２は第２の電流給電線５２に溶接されている。３つの電流給電線５１，５２，５３はそれぞれモリブデンから成り、また相互に溶接されている２つの石英ガラスウェブ１３の間に固定されているので、これらの電流給電線５１，５２，５３は１つの共通の平面内に配置されている。３つの電流給電線５１，５２，５３はランプ容器１０のシールされている端部１１を通って延びており、かつ３つのコンタクト突起部６１，６２または６３のうち１つとそれぞれ導電接続されている。３つのコンタクト突起部６１，６２，６３は側方においてランプソケット３０から突出しており、ハロゲン白熱ランプの電気的な端子を成している。このランプソケット３０は金属−プラスチックソケットとして構成されており、金属製のソケットセクション３１もプラスチックから成るソケットセクション３２も有している。金属製のソケットセクション３１にはランプ容器１０が固定されており、プラスチックから成るソケットセクション３２には、ランプの電気的なコンタクト６１，６２，６３が設けられている。
【００１５】
第１の白熱フィラメント２１は、２４Ｖの定格作動電圧と２８Ｖで約５５〜８０Ｗの範囲の電力とを備えた単一に巻かれた白熱フィラメントとして形成されている。この白熱フィラメント２１は有利にはハイビームを形成するために用いられる。この第一の白熱フィラメント２１のデータは以下の表１にリストアップされている。
【００１６】
第２の白熱フィラメント２２は、２４Ｖの定格作動電圧と２８Ｖで約１７〜２２Ｗの範囲の電力とを備えた単一に巻かれた白熱フィラメントとして形成されている。この白熱フィラメント２２は有利にはデイドライビングビームを形成するために用いられる。この第２の白熱フィラメント２２のデータは以下の表２にリストアップされている。
表１：第１の高ワット数の白熱フィラメントのコイルデータ：
巻回数                          ２８．５
単一コイルの長さ                ５．５ｍｍ±０．１ｍｍ
コイルの外径                    １．４ｍｍ±０．１ｍｍ
コイルワイヤの太さないし直径    １２０μｍ±１０μｍ
表２：第２の低ワット数の白熱フィラメントのコイルデータ：
巻回数                          ４７
単一コイルの長さ                ４．８ｍｍ±０．１ｍｍ
コイルの外径                    ０．９ｍｍ±０．１ｍｍ
コイルワイヤの太さないし直径    ６０μｍ±５μｍ
【図１】
2010517232.tif 000003
【国際調査報告】
2010517232.tif 000004
2010517232.tif 000005
2010517232.tif 000006
2010517232.tif 000007
2010517232.tif 000008
2010517232.tif 000009